(57)【要約】【課題】プリセットデータの変更を工夫することによって術者の操作を簡素化することができる放射線撮影装置を提供する。【解決手段】本発明におけるプリセットデータの設定条件は、必ずしも撮影目的に最適であるとは限らない。そこで、プリデットデータが規定する設定条件を変更できるようになっている。しかも、その変更された設定条件は、変更反映部１２によりプリセットデータに反映される。これにより、後にプリセットデータを読み出した際に、これが規定する設定条件は以前に変更したとおりとなっている。これにより、プリセットデータの変更をより簡素に行うことができ、術者がＸ線撮影装置１に行う操作が簡潔となる。【選択図】図１
2012000125.tif 000002
【特許請求の範囲】
【請求項１】
放射線を照射する放射線源と、
放射線を検出する検出面を有する放射線検出手段と、
放射線撮影に関する複数の設定条件が関連したプリセットデータを記憶するプリセット記憶手段と、
撮影前に、術者にプリセットデータを選択させるプリセット選択手段と、
撮影の実行の指示を入力させる撮影実行入力手段と、
術者にプリセットデータが規定する設定条件の変更を入力させる設定条件変更入力手段と、
変更後の設定条件をプリセットデータに反映させる変更反映手段とを備えることを特徴とする放射線撮影装置。
【請求項２】
請求項１に記載の放射線撮影装置において、
設定条件が変更されると、前記変更反映手段は、前記プリセット記憶手段が記憶するプリセットデータを変更することにより変更された設定条件をプリセットデータに反映させることを特徴とする放射線撮影装置。
【請求項３】
請求項１に記載の放射線撮影装置において、
設定条件が変更されると、前記変更反映手段は、変更後の設定条件を含んだプリセットデータを生成し、これを前記プリセット記憶手段に記憶させることにより変更された設定条件をプリセットデータに反映させることを特徴とする放射線撮影装置。
【請求項４】
請求項１ないし請求項３のいずれかに記載の放射線撮影装置において、
変更された設定条件をプリセットデータに反映させるかどうかの術者の指示を入力させ、前記変更反映手段に動作するよう指示を与える反映指示入力手段を更に備えることを特徴とする放射線撮影装置。
【請求項５】
請求項１ないし請求項４のいずれかに記載の放射線撮影装置において、
前記プリセット記憶手段が記憶するプリセットデータは、画面の分割様式、動画撮影における撮影レート、取得される画像に対する画像処理の様式、前記放射線源および前記放射線検出手段の幾何学的情報、および前記放射線源の制御に関する情報の少なくとも１つを有していることを特徴とする放射線撮影装置。
【発明の詳細な説明】
【技術分野】
【０００１】
本発明は、被検体に放射線を照射することで画像を取得する放射線撮影装置に係り、特に撮影条件のプリセットデータを選択することができる放射線撮影装置に関する。
【背景技術】
【０００２】
医療機関には、放射線で被検体の画像を撮影する放射線撮影装置が備えられている。この様な放射線撮影装置５１は、図１０に示すように放射線を照射する放射線源５３と放射線を検出する放射線検出器５４とを備えている。
【０００３】
従来の放射線撮影装置５１で撮影を行うにはまず、術者が操作卓を通じて、放射線源５３等の各種設定を行う。このとき術者が設定できるものとしては、管電流・管電圧・パルス幅などの放射線源５３に関する設定であったり、放射線源５３と放射線検出器５４との距離であったり、放射線照射から次の放射線照射までの間隔であったり、モニタにどのように画像を表示するかという表示方法であったりと、多種に及んでいる。
【０００４】
従来の放射線撮影装置５１においては、多くの設定値が関連したプリセットデータを記憶している。術者が複数記憶されているプリセットデータのうちのいずれかを操作卓を通じて選択すると、各種設定が一括して行われるようになっていて、術者が設定値を個別に入力する手間を省いている（特許文献１参照）。
【０００５】
従来の放射線撮影装置５１の操作について説明する。従来の放射線撮影装置５１で術者がある所定の検査を行おうとする場合、術者は操作卓を通じ、その検査にふさわしいプリセットデータを選ぶ。すると、放射線撮影装置５１は、種々の設定値をプリセットデータに従って決定し、そのまま待機する。術者が操作卓を通じ、撮影開始の指示を行うと、既に決定された設定値に基づいて放射線が照射されて撮影が開始される。
【０００６】
撮影の終了後、術者は、得られた画像を観察して、各種設定値の調整を行う。例えば、術者が露光不足を認識した場合は、術者は操作卓を通じ、放射線源５３の制御に関する設定値を変更する。この状態で撮影を開始すると、変更された設定値を基に撮影が行われる。
【先行技術文献】
【特許文献】
【０００７】
【特許文献１】特開２００９−７００７５号公報
【発明の概要】
【発明が解決しようとする課題】
【０００８】
しかしながら、従来の構成によれば次のような問題点がある。
すなわち、従来の放射線撮影装置５１によれば、プリセットデータを変更することが困難である。すなわち、術者がプリセットデータで決定される設定値を撮影に好適になるように変更しても、この変更の内容はプリセットデータに何ら影響を及ばさない。つまり、あるプリセットデータを選択し、設定値の一部を変更した後、更に別のプリセットデータを選択すると、前にした設定値の変更は保持されない。つまり、プリセットデータの設定値を撮影の度に変更しなければならなくなる。
【０００９】
この手間を省くには、プリセットデータそのものを変更する必要がある。具体的には、術者が操作卓においてプリセットデータを変更するモードを選択し、この状態でプリセットデータを変更する。つまり、従来の構成では、術者が撮影中に変更した設定の種類と値とを記憶しておいて、撮影の終了後に変更をプリセットデータに反映させなければならないのであり、術者の操作が煩雑となっている。
【００１０】
本発明はこの様な事情に鑑みてなされたものであって、その目的は、プリセットデータの変更を工夫することによって術者の操作を簡素化することができる放射線撮影装置を提供することにある。
【課題を解決するための手段】
【００１１】
本発明は上述の課題を解決するために次のような構成をとる。
すなわち、本発明に係る放射線撮影装置は、放射線を照射する放射線源と、放射線を検出する検出面を有する放射線検出手段と、放射線撮影に関する複数の設定条件が関連したプリセットデータを記憶するプリセット記憶手段と、撮影前に、術者にプリセットデータを選択させるプリセット選択手段と、撮影の実行の指示を入力させる撮影実行入力手段と、術者にプリセットデータが規定する設定条件の変更を入力させる設定条件変更入力手段と、変更後の設定条件をプリセットデータに反映させる変更反映手段とを備えることを特徴とするものである。
【００１２】
［作用・効果］本発明の放射線撮影装置は、プリセットデータが規定する設定条件に基づいて撮影が行われる。このプリセットデータの設定条件は、必ずしも撮影目的に最適であるとは限らない。そこで、プリデットデータが規定する設定条件を変更できるようになっている。しかも、その変更された設定条件は、変更反映手段によりプリセットデータに反映される。これにより、後にプリセットデータを読み出した際に、これが規定する設定条件は以前に変更したとおりとなっている。これにより、プリセットデータの変更をより簡素に行うことができ、術者が放射線撮影装置に行う操作が簡潔となる。
【００１３】
また、上述の放射線撮影装置において、設定条件が変更されると、変更反映手段は、プリセット記憶手段が記憶するプリセットデータを変更することにより変更された設定条件をプリセットデータに反映させればより望ましい。
【００１４】
［作用・効果］上述の構成は、設定条件の変更をプリセットデータに反映する手法を具体的に示すものとなっている。変更反映手段がプリセット記憶手段が記憶するプリセットデータを上書きして変更させれば、プリセットデータが規定する設定条件は確実に更新されることになる。
【００１５】
また、上述の放射線撮影装置において、設定条件が変更されると、変更反映手段は、変更後の設定条件を含んだプリセットデータを生成し、これをプリセット記憶手段に記憶させることにより変更された設定条件をプリセットデータに反映させればより望ましい。
【００１６】
［作用・効果］上述の構成は、設定条件の変更をプリセットデータに反映する別の手法を具体的に示すものとなっている。変更反映手段が変更後の設定条件を含んだプリセットデータを生成し、これをプリセット記憶手段に記憶させるようにすれば、設定変更前のプリセットデータが保持され、変更前の状態に戻ることができるので、撮影条件の更なる検討に有利である。
【００１７】
また、上述の放射線撮影装置において、変更された設定条件をプリセットデータに反映させるかどうかの術者の指示を入力させ、変更反映手段に動作するよう指示を与える反映指示入力手段を更に備えればより望ましい。
【００１８】
［作用・効果］上述の構成は、術者により設定条件の変更をプリセットデータに反映させるかどうかを選択できるようになっている。これにより、より自由度の高い操作が可能となった放射線撮影装置が提供できる。
【００１９】
また、上述の放射線撮影装置において、プリセット記憶手段が記憶するプリセットデータは、画面の分割様式、動画撮影における撮影レート、取得される画像に対する画像処理の様式、放射線源および放射線検出手段の幾何学的情報、および放射線源の制御に関する情報の少なくとも１つを有していればより望ましい。
【００２０】
［作用・効果］上述の構成は、プリセットデータが規定する設定条件をより具体的に示したものとなっている。上述のように、プリセットデータには、あらゆる種類の撮影条件の設定値を含ませることができる。
【発明の効果】
【００２１】
本発明の放射線撮影装置は、プリセットデータが規定する設定条件に基づいて撮影が行われる。このプリセットデータの設定条件は、必ずしも撮影目的に最適であるとは限らない。そこで、プリデットデータが規定する設定条件を変更できるようになっている。しかも、その変更された設定条件は、変更反映手段によりプリセットデータに反映される。これにより、後にプリセットデータを読み出した際に、これが規定する設定条件は以前に変更したとおりとなっている。これにより、プリセットデータの変更をより簡素に行うことができ、術者が放射線撮影装置に行う操作が簡潔となる。
【図面の簡単な説明】
【００２２】
【図１】実施例１に係るＸ線撮影装置の構成を説明する機能ブロック図である。
【図２】実施例１に係るプリセットデータを説明する模式図である。
【図３】実施例１に係る画像の分割表示を説明する模式図である。
【図４】実施例１に係る画像の分割表示を説明する模式図である。
【図５】実施例１に係るＸ線撮影装置の動作を説明するフローチャートである。
【図６】実施例１に係るＸ線撮影装置の動作を説明する模式図である。
【図７】実施例１に係るＸ線撮影装置の動作を説明する模式図である。
【図８】実施例１に係るＸ線撮影装置の動作を説明する模式図である。
【図９】実施例１に係るＸ線撮影装置の動作を説明する模式図である。
【図１０】従来構成のＸ線撮影装置の構成を説明する模式図である。
【実施例１】
【００２３】
以降、本発明の実施例を説明する。実施例におけるＸ線は、本発明の放射線に相当する。また、ＦＰＤは、フラットパネル・ディテクタの略である。
【００２４】
＜Ｘ線撮影装置の全体構成＞
まず、実施例１に係るＸ線撮影装置１の構成について説明する。Ｘ線撮影装置１は、図１に示すように被検体Ｍを載置する天板２と、天板２の上側に設けられたＸ線を照射するＸ線管３と、天板２の下側に設けられたＸ線を検出するＦＰＤ４とを備えている。ＦＰＤ４は、Ｘ線を検出する検出面を有している。Ｘ線管３は、本発明の放射線源に相当し、ＦＰＤ４は、本発明の放射線検出手段に相当する。
【００２５】
Ｘ線管制御部６は、所定の管電流、管電圧、パルス幅でＸ線管３を制御する目的で設けられている。ＦＰＤ４は、Ｘ線管３から発せられ、被検体Ｍを透過したＸ線を検出して検出信号を生成する。この検出信号は、画像生成部１１に送出され、そこで被検体Ｍの投影像が写り込んだ画像Ｐが生成される。画像処理部１３は、画像Ｐに輝度補正処理などを施す目的で設けられている。変更反映部１２は、プリセットデータの更新を目的に設けられており、その詳細は後述する。変更反映部１２は、本発明の変更反映手段に相当する。
【００２６】
Ｘ線管移動機構１５は、天板２に対しＸ線管３を移動させる目的で設けられている。Ｘ線管３は、Ｘ線管移動機構１５によって、被検体Ｍの体軸方向に移動することもできれば、鉛直方向に移動することにより、天板２から接近・離反することができる。Ｘ線管移動制御部１６は、これを制御する目的で設けられている。
【００２７】
ＦＰＤ移動機構１７は、天板２に対しＦＰＤ４を移動させる目的で設けられている。ＦＰＤ４は、ＦＰＤ移動機構１７によって、被検体Ｍの体軸方向に移動することができる。ＦＰＤ移動制御部１８は、これを制御する目的で設けられている。
【００２８】
操作卓２６は、術者によるＸ線照射開始などの指示を入力させる目的で設けられている。操作卓２６には、図１に示すように、術者が撮影を開始させるときに押下する撮影ボタン２６ａを有している。プリセット選択メニューには、複数のプリセットデータを示す記号が表示され、術者は、これらのうちのいずれかを選択することができる。
【００２９】
表示部２５は、画像生成部１１が出力した被検体Ｍの投影像を表示する目的で設けられている。また、表示部２５は、各種アイコンを表示することにより、Ｘ線撮影装置１に様々な設定を行えるようにしている。入力装置２９は、術者が表示部２５の表示を操作するときに使用されるヒューマンインターフェースである。反映ボタン２５ｂは、本発明の反映指示入力手段に相当し、入力装置２９は、本発明の設定条件変更入力手段に相当する。また、撮影ボタン２６ａは、本発明の撮影実行入力手段に相当する。
【００３０】
主制御部２７は、各制御部を統括的に制御する目的で設けられている。この主制御部２７は、ＣＰＵによって構成され、各種のプログラムを実行することによりＸ線管制御部６やその他各部１１，１２，１６，１８を実現している。また、上述の各部は、それらを担当する演算装置に分割されて実行されてもよい。記憶部２８は、後述のプリセットデータなどのＸ線撮影装置１の制御・動作に関するパラメータの一切を記憶する。記憶部２８は、本発明のプリセット記憶手段に相当する。
【００３１】
記憶部２８が記憶するプリセットデータについて説明する。プリセットデータは、複数の設定条件がまとまって一つとなっているデータセットあり、図２に示すような様々な設定条件から構成される。設定条件としては、例えば、管電流、管電圧、パルス幅のようなＸ線管３のＸ線照射に関する制御の条件であったり（図２のＡ参照），Ｘ線管３の体軸方向の位置、天板２からのＸ線管３の高さ、ＦＰＤ４の体軸方向の位置などのＸ線管３・ＦＰＤ４の幾何学的情報であったりする（図２のＢ参照）。また、設定条件の他の例として、取得されるのが動画であるか静止画であるかを示す撮影方式、動画撮影時のフレームレート、画面の分割様式、および輝度補正の有無などを示しているものがある（図２のＣ参照）。その他、輝度補正の設定値等もプリセットデータに含まれている。
【００３２】
画面の分割様式について説明する。図３は、画面の分割がないとしたときに表示部２５の画面に映し出されている被検体Ｍの透視画像である。胸部撮影などの広い領域を撮影する場合、画面全体で１枚の透視画像を表示したほうが胸部の詳細を確認できるので好都合である。
【００３３】
図４は、画面が縦２分割となっているときに表示部２５に映し出されている被検体Ｍの透視画像である。被検体Ｍの食道を投影する場合など、関心領域が細長い場合は、透視画像を表示部２５の画面の右側に表示すれば視認性に問題はない。そして、表示後にもう一度食道が撮影されると、今度は表示部２５の画面の左側に透視画像が表示される。こうして、画面が縦２分割となっていると、関心部位の経時的変化が確認できて好都合である。
【００３４】
また、胃における特定部位の検査においては、さらに関心部位が狭いので、画面を縦横４分割として、画面の各分割領域に表示されている画像Ｐを順番に更新するようにすれば好都合である。このように好適な画面の分割様式は、検査の目的によって変化する。
【００３５】
記憶部２８には、この様なプリセットデータが複数記憶されている。プリセットデータの各々は特定の検査に好適なように設定条件が決められているものである。術者は、撮影開始の前に表示部２５に表示されるプリセット選択メニュー２５ａを通じてプリセットデータのうちの１つを選択することができる。Ｘ線撮影装置１は、選択されたプリセットデータに基づいて各部４，６，１１，１２，１３，１６，１８を制御することになる。プリセット選択メニュー２５ａは、本発明のプリセット選択手段に相当する。
【００３６】
＜Ｘ線撮影装置の動作＞
次に、Ｘ線撮影装置１の動作について説明する。実施例１に係るＸ線撮影装置１で検査を行うには図５に示すように、まず、被検体Ｍが天板２に載置され（被検体載置ステップＳ１），術者が操作卓を通じてプリセットデータを選択する（プリセット選択ステップＳ２）。そして、術者が操作卓を通じて撮影開始の指示を与え（撮影開始ステップＳ３），出力された画像Ｐを基に術者が設定条件を微調整する（設定条件変更ステップＳ４）。最後に、変更された設定条件がプリセットデータに反映される（変更反映ステップＳ５）。これらの各ステップの詳細について順を追って説明する。
【００３７】
＜被検体載置ステップＳ１，プリセット選択ステップＳ２，撮影開始ステップＳ３＞
まず、被検体Ｍが天板２に載置される。そして、術者は表示部２５に表示されるプリセット選択メニュー２５ａから検査目的に合わせたプリセットデータを選択する（図６参照）。プリセット選択メニュー２５ａの操作により選択されたプリセットデータは、記憶部２８より読み出され、各設定条件が各部４，６，１１，１２，１３，１６，１８に分配される。図６において、術者は、プリセット選択メニュー２５ａの撮影条件１を選択したものとする。この時点で、Ｘ線管３，ＦＰＤ４は、Ｘ線管移動機構１５，ＦＰＤ移動機構１７の各々によって撮影条件１のプリセットデータ示す位置に移動される。
【００３８】
術者が操作卓２６における撮影ボタン２６ａを押下すると（図１参照）、Ｘ線管３から放射線照射が開始され、ＦＰＤ４は被検体Ｍを透過してきたＸ線を検出して検出データを出力する。このときのＸ線管３・ＦＰＤ４の撮影条件は、撮影開始の前に選択されたプリセットデータが規定する各種設定条件と同一となっている。
【００３９】
検出データは画像生成部１１に送られ、ここで被検体Ｍの透視像が写り込んだ画像Ｐが生成される。画像生成部１１は、この画像生成に際し、撮影時の設定条件を示すデータを画像データに付加する。つまり画像生成部１１が生成する画像データに付加された設定条件データを参照すれば、画像Ｐの撮影時の設定条件が分かるのである。画像Ｐは、画像処理部１３に送出され、プリセットデータ通りの画像処理が施された後、設定条件とともに表示部２５に表示される（図７参照）。
【００４０】
＜設定条件変更ステップＳ４＞
このとき、術者が得られた画像Ｐが露光不足であると認めたとする。術者は、表示部２５の表示を見ながら、入力装置２９を操作し、表示部２５の画面に設定条件変更を行うウィンドウを表示させる（図８参照）。術者は、このウィンドウを見ながら各種設定条件を変更する。具体的には、露光不足とならないように管電流・管電圧等が変更される。
【００４１】
必要に応じて撮影開始ステップＳ３と設定条件変更ステップＳ４とが交互に繰り返される。そして、設定条件が検査に好適なものとなった時点で次のステップに進む。設定条件変更ステップＳ４の直後に得られた画像Ｐに付加される設定条件は、プリセットデータが規定する設定条件とは異なり、設定条件変更ステップＳ４で変更後の設定条件となっている。つまり、画像Ｐに付加される設定条件は、その画像を撮影した時点での設定条件であり、設定条件を変更する度に変わる。この過程で、術者が管電流の設定条件を３０ｍＡから最終的に５０ｍＡに変更したとする。
【００４２】
＜変更反映ステップＳ５＞
術者は、好適な設定条件を探し当てた時点で、表示部２５の表示を見ながら、入力装置２９を操作し、表示部２５の画面に反映ボタン２５ｂを表示させる（図９参照）。術者が変更後の設定条件をプリセットデータに反映させたい場合は、入力装置２９を通じて反映ボタン２５ｂを押下することになる。
【００４３】
画像生成部１１が画像Ｐを生成するごとに変更反映部１２には画像Ｐが出力されている。反映ボタン２５ｂが押下されると、変更反映部１２は、最後に撮影され、現在表示部２５の画面に映し出されている画像Ｐのデータから設定条件に関するデータを抽出して、現在のプリセットデータの設定条件と置き換える。このようにして、プリセットデータは、上書きされ、術者が変更した内容がプリセットデータに反映されることになる。このようにして、撮影条件１のプリセットデータの管電流は、３０ｍＡから５０ｍＡに変更される。
【００４４】
このようにすることで、次回の撮影において、プリセット選択メニュー２５ａで撮影条件１を選択すると、管電流の設定値は、変更後の５０ｍＡとなり、５０ｍＡの管電流で撮影が行われる。
【００４５】
以上のように、実施例１のＸ線撮影装置１は、プリセットデータが規定する設定条件に基づいて撮影が行われる。このプリセットデータの設定条件は、必ずしも撮影目的に最適であるとは限らない。そこで、プリデットデータが規定する設定条件を変更できるようになっている。しかも、その変更された設定条件は、変更反映部１２によりプリセットデータに反映される。これにより、後にプリセットデータを読み出した際に、これが規定する設定条件は以前に変更したとおりとなっている。これにより、プリセットデータの変更をより簡素に行うことができ、術者がＸ線撮影装置１に行う操作が簡潔となる。
【００４６】
また、変更反映部１２が記憶部２８が記憶するプリセットデータを上書きして変更させれば、プリセットデータが規定する設定条件は確実に更新されることになる。
【００４７】
本発明は、上述の構成に限られず、下記のように変形実施することが可能である。
【００４８】
（１）上述の構成によれば、プリセットデータを上書きすることで変更後の設定条件をプリセットデータに反映させていたが、本発明はこの構成に限られない。すなわち反映ボタン２５ｂが押下された時点で変更反映部１２は、画像Ｐに付加された設定条件を読み出して、新たなプリセットデータを作成し、これを記憶部２８に記憶させるようにしてもよい。
【００４９】
（２）上述の構成によれば、プリセットデータは、単一の撮影の条件のみを規定していおり、撮影を行う度にプリセットデータを設定し直さなければならないが、本発明はこれに限られない。複数の撮影に関する設定条件を単一のプリセットデータに保持してもよい。この様にすることで、ルーチン化された検査を効率よく行うことができる。このようにすれば、ある決まった順番で条件の異なる撮影を次々と行う場合、プリセットデータを一度選択するだけで撮影条件の指定が完了することになり、術者の操作の負担を軽減することができる。この様に変更反映部１２が変更後の設定条件を含んだプリセットデータを生成し、これを記憶部２８に記憶させるようにすれば、設定変更前のプリセットデータを保持することができるので、撮影条件の更なる検討に有利である。
【００５０】
（３）上述の構成は、プリセットデータの規定する設定条件が一括に変更されるようになっていたが、変更反映ステップＳ５において変更を反映させない設定条件を予め指定しておくような構成をとることもできる。このようにすることで、プリセットデータが余計に変更されてしまうことを防止することができる。
【符号の説明】
【００５１】
３     Ｘ線管（放射線源）
４     ＦＰＤ（放射線検出手段）
１２   変更反映部（変更反映手段）
２５ａ プリセット選択メニュー（プリセット選択手段）
２５ｂ 反映ボタン（反映指示入力手段）
２６ａ 撮影ボタン（撮影実行入力手段）
２８   記憶部（プリセット記憶手段）
２９   入力装置（設定条件変更入力手段）
【図１】
2012000125.tif 000003
【図２】
2012000125.tif 000004
【図３】
2012000125.tif 000005
【図４】
2012000125.tif 000006
【図５】
2012000125.tif 000007
【図６】
2012000125.tif 000008
【図７】
2012000125.tif 000009
【図８】
2012000125.tif 000010
【図９】
2012000125.tif 000011
【図１０】
2012000125.tif 000012